(57)【要約】【課題】汚水等による汚れを目視しやすく、掃除する際にも簡単に汚れを拭き取ることができる水洗大便器を提供する。【解決手段】本発明は、ボウル形状に形成された汚物受け面２ｂと、この汚物受け面の上縁に形成され、第１吐水口２ｃから吐水された洗浄水Ｗ１を旋回させるリム導水路２ｄが形成されたリム部２ａと、を備えたボウル部２と、このボウル部のリム部の後方側に設けられ、ボウル部内へ推進して所定方向に洗浄水を噴射するノズル部１２ａを備えた局部洗浄装置１２と、を有し、ボウル部のリム部は、その後端部がほぼ鉛直な平坦面２ｆを形成し、この平坦面は、局部洗浄装置のノズル部が通過可能なノズル開口部２ｊを形成すると共に、このノズル開口部を開閉するシャッター１４ｃが取り付けられ、このノズル開口部を閉鎖した状態のシャッターの前面１４ｈが平坦面とほぼ面一になるように構成されている。【選択図】図１
2010174451.tif 000002
【特許請求の範囲】
【請求項１】
洗浄水によって洗浄され、汚物を排出する水洗大便器であって、
ボウル形状に形成された汚物受け面と、この汚物受け面の上縁に位置し、第１の吐水部とこの第１の吐水部から吐水された洗浄水を旋回させるリム導水路とが形成されたリム部と、を備えたボウル部と、
このボウル部のリム部の後方側に設けられ、上記ボウル部内へ推進して所定方向に洗浄水を噴射するノズル部を備えた局部洗浄部と、を有し、
上記ボウル部のリム部は、その後端部がほぼ鉛直な平坦面を形成し、この平坦面は、上記局部洗浄部のノズル部が通過可能なノズル開口部を形成すると共に、このノズル開口部を開閉する蓋部材が取り付けられ、このノズル開口部を閉鎖した状態の蓋部材の前面が上記平坦面とほぼ面一になるように構成されていることを特徴とする水洗大便器。
【請求項２】
上記ボウル部は、更に、上記第１の吐水部から吐水された洗浄水の旋回流と同一の旋回方向に且つ上記蓋部材よりも下方の所定領域に向かって吐水する第２の吐水部を備えている請求項１に記載の水洗大便器。
【請求項３】
更に、上記ボウル部のリム部の後端部に組み込まれ、上記局部洗浄部のノズル部を収納して保持すると共にその前端部に上記リム部の後端部のノズル開口部と一致する開口部を形成するノズル収納部を含む保持部材を有し、この保持部材のノズル収納部の開口部には、上記蓋部材が開閉可能に設けられている請求項１又は２に記載の水洗大便器。
【請求項４】
上記ボウル部のリム部のノズル開口部は、その周縁に沿って後側に凹む凹部を形成する段部を備え、この段部は、上記ノズル開口部を閉鎖した状態の蓋部材の外周縁が嵌合可能に形成されている請求項１乃至３の何れか１項に記載の水洗大便器。
【請求項５】
上記段部は、その前端から後端に向かって相対的に窄まるようにほぼテーパー状に形成されている請求項４記載の水洗大便器。
【請求項６】
上記蓋部材は、その前面が上記ボウル部のリム部の後端部における平坦面とほぼ面一となって上記ノズル開口部を閉鎖する閉鎖位置から上記ノズル開口部を開放する所定の開放位置まで回動させる回動部を備え、この回動部には、上記蓋部材を上記ノズル開口部側へ付勢する付勢手段が設けられている請求項１乃至５の何れか１項に記載の水洗大便器。
【発明の詳細な説明】
【技術分野】
【０００１】
本発明は、水洗大便器に係り、特に、洗浄水によって洗浄され、汚物を排出する水洗大便器に関する。
【背景技術】
【０００２】
従来から、洗浄水によって洗浄され、汚物を排出する水洗大便器の多機能便座の一つに温水洗浄便座がある。この温水洗浄便座は、用便後に局部を温水で洗浄できる局部洗浄装置を主機能として備えている。
従来の局部洗浄装置を備えた水洗大便器においては、例えば、特許文献１に記載されているように、局部洗浄装置が便器本体の後部上面に設置されており、この局部洗浄装置の高さを低くするため、便器本体の後部上面に凹溝を設け、洗浄水を噴射する局部に噴射するノズルをこの凹溝内に収納したものがある。
【０００３】
しかしながら、上述した特許文献１に記載されている従来の水洗大便器においては、局部洗浄装置のノズルが便器本体のボウル部内にむき出しになっているため、汚水の飛び散り等によってノズルが汚れやすく、衛生上や美観上にも問題がある。
そこで、このような問題を解決するために、例えば、特許文献２に記載されている従来の水洗大便器においては、局部洗浄装置のノズルの前端部に開閉蓋を設け、この開閉蓋が便器洗浄中のノズルの前端部を閉鎖することにより、ノズルのむき出しを防ぐと共に汚水の飛び散り等によるノズルの汚れを防いでいる。
【先行技術文献】
【特許文献】
【０００４】
【特許文献１】実公平２−１３５８９号公報
【特許文献２】特開２００８−９５４６０号公報
【発明の概要】
【発明が解決しようとする課題】
【０００５】
しかしながら、上述した特許文献２に記載されている従来の水洗大便器においては、開閉蓋が閉鎖している状態であっても、この開閉蓋とその周壁面を形成する便器本体のボウル部との間に隙間が大きく開いているため、この隙間から汚水が入り込んでしまうという問題がある。また、開閉蓋の下側や裏側の周壁面に凹部が設けられているので、これらの凹部に飛着した汚水等を発見しにくく、掃除も困難であるという問題もある。
【０００６】
そこで、本発明は、上述した従来技術の問題点を解決するためになされたものであり、汚水等による汚れを目視しやすく、掃除する際にも簡単に汚れを拭き取ることができる水洗大便器を提供することを目的としている。
【課題を解決するための手段】
【０００７】
上記の目的を達成するために、本発明は、洗浄水によって洗浄され、汚物を排出する水洗大便器であって、ボウル形状に形成された汚物受け面と、この汚物受け面の上縁に位置し、第１の吐水部とこの第１の吐水部から吐水された洗浄水を旋回させるリム導水路が形成されたリム部と、を備えたボウル部と、このボウル部のリム部の後方側に設けられ、上記ボウル部内へ推進して所定方向に洗浄水を噴射するノズル部を備えた局部洗浄部と、を有し、上記ボウル部のリム部は、その後端部がほぼ鉛直な平坦面を形成し、この平坦面は、上記局部洗浄部のノズル部が通過可能なノズル開口部を形成すると共に、このノズル開口部を開閉する蓋部材が取り付けられ、このノズル開口部を閉鎖した状態の蓋部材の前面が上記平坦面とほぼ面一になるように構成されていることを特徴としている。
このように構成された本発明においては、ボウル部のリム部の後端部がほぼ鉛直な平坦面を形成すると共に、この平坦面のノズル開口部を閉鎖した状態の蓋部材の前面がこの平坦面とほぼ面一になるため、ボウル部を上方から見た場合、汚水等による汚れを目視しやすく、ボウル部のリム部を掃除する際にも簡単に汚れを拭き取ることができる。また、ボウル部のリム部の後端部がほぼ鉛直な平坦面を形成することにより、ボウル部のリム部の後端部における洗浄水が行き届かない領域の表面積を最小限に抑えることができ、無駄なスペースを排除することができる。
【０００８】
本発明において、好ましくは、ボウル部は、更に、第１の吐水部から吐水された洗浄水の旋回流と同一の旋回方向に且つ蓋部材よりも下方の所定領域に向かって吐水する第２の吐水部を備えている。
このように構成された本発明においては、ボウル部が第２の吐水部を備えているため、ボウル部のリム部の後端部がほぼ鉛直な平坦面を形成しているにもかかわらず、洗浄性能を損なうことなく、ボウル部内の所定領域を確実に洗浄することができる。
【０００９】
本発明において、好ましくは、更に、ボウル部のリム部の後端部に組み込まれ、局部洗浄部のノズル部を収納して保持すると共にその前端部にリム部の後端部のノズル開口部と一致する開口部を形成するノズル収納部を含む保持部材を有し、この保持部材のノズル収納部の開口部には、上記蓋部材が開閉可能に設けられている。
このように構成された本発明においては、保持部材のノズル収納部の開口部に蓋部材が設けられているため、保持部材をボウル部のリム部の後端部に組み込むことにより、蓋部材をボウル部のリム部のノズル開口部にも容易かつ確実に取り付けることができる。この結果、ノズル開口部を閉鎖した状態の蓋部材の前面がリム部の後端部の平坦面とほぼ面一になるように容易かつ確実に組み付けることできる。
【００１０】
本発明において、好ましくは、ボウル部のリム部のノズル開口部は、その周縁に沿って後側に凹む凹部を形成する段部を備え、この段部は、ノズル開口部を閉鎖した状態の蓋部材の外周縁が嵌合可能に形成されている。
このように構成された本発明においては、蓋部材がノズル開口部を閉鎖すると、蓋部材の外周縁がノズル開口部の段部に確実に嵌合するため、蓋部材の前面とリム部の後端部の平坦面とを確実に面一にすることができる。この結果、ノズル開口部からノズル部側への汚水の浸入を防ぐことができる。
【００１１】
本発明において、好ましくは、段部は、その前端から後端に向かって相対的に窄まるようにほぼテーパー状に形成されている。
このように構成された本発明においては、ノズル開口部の段部が、その前端から後端にかけて相対的に窄まるようにほぼテーパー状に形成されているため、閉鎖している状態の蓋部材を外観から見た場合、製造誤差等によりノズル開口部に歪みが発生していても、その歪み等が目立たなくなり、意匠性を向上させることができる。
【００１２】
本発明において、好ましくは、蓋部材は、その前面がボウル部のリム部の後端部における平坦面とほぼ面一となってノズル開口部を閉鎖する閉鎖位置からノズル開口部を開放する所定の開放位置まで回動させる回動部を備え、この回動部には、蓋部材を上記ノズル開口部側へ付勢する付勢手段が設けられている。
このように構成された本発明においては、蓋部材がノズル開口部を閉鎖すると、付勢手段により、蓋部材の外周縁がノズル開口部の段部に確実に嵌合された状態が維持され、蓋部材の前面とリム部の後端部の平坦面とを確実に面一にすることができる。
【発明の効果】
【００１３】
本発明の水洗大便器によれば、汚水等による汚れを目視しやすく、掃除する際にも簡単に汚れを拭き取ることができる。
【図面の簡単な説明】
【００１４】
【図１】本発明の実施形態による水洗大便器の断面図である。
【図２】本発明の実施形態による水洗大便器の正面図である。
【図３】本発明の実施形態による水洗大便器を斜め上方から見た分解斜視図である。
【図４】本発明の実施形態による水洗大便器を斜め下方から見た分解斜視図である。
【図５】本発明の実施形態による水洗大便器の便座ユニットの保持プレートを斜め下方から見た斜視図である。
【図６】図１に示す本発明の実施形態による水洗大便器の便座ユニットの保持プレート及び局部洗浄装置の部分を拡大した部分拡大断面図である。
【図７】本発明の実施形態による水洗大便器の便座ユニットの保持プレートを便器本体の上面の所定位置に組み込んだ状態におけるシャッターの部分の拡大正面図である。
【図８】図７のVIII−VIII断面図である。
【図９】本発明の実施形態による水洗大便器における局部洗浄時の局部洗浄装置の部分を拡大した図６と同様な部分拡大断面図である。
【発明を実施するための形態】
【００１５】
以下、添付図面により、本発明の実施形態による水洗大便器を説明する。
図１は本発明の実施形態による水洗大便器の断面図であり、図２は本発明の実施形態による水洗大便器の正面図である。また、図３は本発明の実施形態による水洗大便器を斜め上方から見た分解斜視図であり、図４は本発明の実施形態による水洗大便器を斜め下方から見た分解斜視図である。
まず、図１〜図４に示すように、符号１は水洗大便器を示し、陶器等からなる便器本体１ａと、この便器本体１ａの上部に設置された便座ユニット１ｂとを有する。また、本実施形態による水洗大便器１は、壁掛け式の便器として構成されている。
なお、本実施形態では、壁掛け式の便器の例を示しているが、このような便器に限定されるものではなく、例えば、床置き式の便器でもよい。
【００１６】
水洗大便器１の便器本体１ａは、その上部の前方側に形成されたボウル部２と、後方側の上部に形成されて水道又は給水タンク等の外部の給水源（図示せず）と接続されている導水路４とを備え、この導水路４の下方には、ボウル部２内の汚物を排出するようにボウル部２の底部と連通すると共にボウル部２の初期溜水水位Ｌ０を規定する排水トラップ管路６が形成されている。
【００１７】
ボウル部２は、その上縁を形成するリム部２ａと、このリム部２ａの下側にボウル形状に形成された汚物受け面２ｂとを備えている。このリム部２ａにおいては、その左側の後方よりの内壁面に導水路４と連通する第１の吐水部である第１吐水口２ｃが形成されており、導水路４を経て第１吐水口２ｃから吐水された洗浄水Ｗ１を汚物受け面２ｂの上縁からその下方にかけての内壁面を旋回させるリム導水路２ｄを形成している。第１吐水口２ｃから吐水された洗浄水Ｗ１は、汚物受け面２ｂの上縁からその下方にかけての内壁面を旋回しながら下方に落下し、汚物受け面２ｂを洗浄するようになっている。
【００１８】
また、ボウル部２のリム部２ａの後端部においては、その右側のコーナ部付近に第２の吐水部である第２吐水口２ｅが形成されている。この第２吐水口２ｅは導水路４と連通して第１吐水口２ｃとほぼ同じ高さに位置しており、第２吐水口２ｅから吐水された洗浄水Ｗ２は、第１吐水口２ｃから吐水された洗浄水Ｗ１の旋回流と同一の旋回方向に且つリム部２ａの後端部よりも下方の所定領域に向かって流れるようになっている。
【００１９】
さらに、ボウル部２のリム部２ａの後端部は、第１吐水口２ｃ、リム導水路２ｄ、及び、第２吐水口２ｅの高さ位置よりも高い位置にある領域でほぼ鉛直な平坦面２ｆを形成して横方向に延びている。この平坦面２ｆを形成する領域は、第１吐水口２ｃや第２吐水口２ｅの高さ位置よりも上方の位置、すなわち、リム導水路２ｄを旋回する洗浄水Ｗ１の最高水位Ｌ１よりも高い位置に配置されている。
ここで、リム部２ａの後端部を形成している「ほぼ鉛直な平坦面２ｆ」とは、リム部２ａの後端部上端から汚物受け面２ｂ側に向かって前後方向に約１０度の範囲まで傾斜した平坦面も含むことを意味している。
すなわち、リム部２ａの後端部を形成する面については、ボウル部２を上方から見た場合、汚水等による汚れを目視できれば傾斜していてもよい。
【００２０】
また、ボウル部２の汚物受け面２ｂの中腹には、第３の吐水部である第３吐水口２ｇが形成されている。この第３吐水口２ｇは、細長いスリット状の開口を形成しており、導水路４と連通し、洗浄時に第３吐水口２ｇから下方に吐水された洗浄水Ｗ３は、汚物受け面２ｂの下側段部２ｈに衝突して上方に舞い上がり、再び下方へ流下するものと、そのままボウル部２の底部に向かうものになる。
なお、上述した第３吐水口２ｇについては、設けていなくてもよい。
【００２１】
つぎに、水洗大便器１の便座ユニット１ｂは、便座８、便蓋１０、局部洗浄装置１２、及び、保持プレート１４を備えている。
図５は本実施形態による水洗大便器の便座ユニットの保持プレートを斜め下方から見た斜視図である。また、図６は、図１に示す本実施形態による水洗大便器の便座ユニットの保持プレート及び局部洗浄装置の部分を拡大した部分拡大断面図である。さらに、図７は、本実施形態による水洗大便器の便座ユニットの保持プレートを便器本体の上面の所定位置に組み込んだ状態におけるシャッターの部分の拡大正面図であり、図８は、図７のVIII−VIII断面図である。
【００２２】
図１〜図８に示すように、保持プレート１４は、便器本体１ａの上面におけるボウル部２のリム部２ａの後方側に組み込まれると共に、局部洗浄装置１２を保持する保持部材である。
局部洗浄装置１２は、複数の細長い円筒状部材が軸方向に入れ子状に伸長可能に設けられたノズル部１２ａを備えている。この局部洗浄装置１２のノズル部１２ａは、本実施形態では一例として３つの円筒状部材が入れ子状に重ねて設けられているが、局部洗浄を行う際、ノズル部１２ａが前方へ伸長し、その先端部（噴射部）１２ｂが前方のボウル部２内の空間に向かって推進するようになっている。そして、この伸長した状態のノズル部１２ａについては、水道又は給水タンク等の外部の給水源（図示せず）の洗浄水の一部が、逆流防止のため設けられたサブタンク１２ｃ、ポンプ（図示せず）等を経た後、熱交換器（図示せず）を通過して適温に温められた温水を洗浄水として先端部（噴射部）１２ｂから所定方向に噴射するものである。
【００２３】
保持プレート１４は、局部洗浄装置１２のノズル部１２ａを収納して保持するノズル収納部１４ａと、このノズル収納部１４ａの前端部に形成された開口部１４ｂに開閉可能に設けられた蓋部材であるシャッター１４ｃとを備えている。
また、ノズル収納部１４ａの前端部（開口部１４ｂ）の下端部には、その前端から後方側に切欠き１４ｄが形成されており、シャッター１４ｃが開口部１４ｂを閉鎖した状態であっても、切欠き１４ｄに相当する部分が開放されるようになっている。この切欠き１４ｄについては、局部洗浄の前後にノズル収納部１４ａ内でノズル部１２ａの先端部（噴射部）１２ｂ自体の自己洗浄が行われた際の洗浄後の水がノズル収納部１４ａの外部（ボウル部２側）に排水されるドレン孔として機能するようになっている。
【００２４】
シャッター１４ｃは、その上端部がノズル収納部１４ａの開口部１４ｂの上端にヒンジ結合された回動軸を含む回動部１４ｅを備えている。局部洗浄を行う際、局部洗浄装置１２のノズル部１２ａが前方へ伸長してシャッター１４ｃの後端部１４ｆを前方へ押し出すと、シャッター１４ｃの後端部１４ｆがノズル収納部１４ａの開口部１４ｂの縁部に当接する閉鎖位置から、シャッター１４ｃが回動部１４ｅを中心に回動して、開口部１４ｂを開放するようになっている。
さらに、シャッター１４ｃの回動部１４ｅには、シャッター１４ｃを開口部１４ｂ側へ付勢する付勢手段であるねじりばね１４ｇが設けられている。
【００２５】
また、図３に示すように、便器本体１ａの上面におけるボウル部２のリム部２ａの後方側には、保持プレート１４を組み込んだときにノズル収納部１４ａを嵌合される凹部２ｉが下側に凹んで形成され、この凹部２ｉの前端部には、局部洗浄時の局部洗浄装置１２のノズル部１２ａを通過可能にするノズル開口部２ｊが形成されている。
【００２６】
さらに、図７及び図８に示すように、ノズル開口部２ｊは、便器本体１ａのボウル部２のリム部２ａにおける平坦面２ｆに形成されており、その周縁に沿って後側に凹んだ凹部２ｋを形成する前側段部２ｌと後側段部２ｍを備えている。
シャッター１４ｃの後端部１４ｆが保持プレート１４のノズル収納部１４ａにおける開口部１４ｂの縁部に当接して閉鎖位置にあるとき、シャッター１４ｃの前面１４ｈがボウル部２のリム部２ａの後端部における平坦面２ｆとほぼ面一になっている。
【００２７】
また、閉鎖位置にあるシャッター１４ｃの外周縁１４ｉは、便器本体１ａのボウル部２のリム部２ａ側におけるノズル開口部２ｊの凹部２ｋ内に収容され、後側段部２ｍの一部を覆っているものの、凹部２ｋや段部２ｌ，２ｍには接触しておらず、わずかな隙間が形成されている。このような隙間については、局部洗浄装置１２のノズル部１２ａの自己洗浄後に保持プレート１４側のノズル収納部１４ａの切欠き１４ｄから排水された水をボウル部２内へ流下させるのに利用されるようになっている。
【００２８】
また、段部２ｌ，２ｍについては、前側段部２ｌの前端から後端に向かって、及び、後側段部２ｍの前端から後端に向かって相対的に窄まるようにほぼテーパー状に形成されており、閉鎖している状態のシャッター１４ｃを外観から見た場合、リム部２ａ側のノズル開口部２ｊに対するシャッター１４ｃの歪み等が目立たなくなるようになっている。
ちなみに、シャッター１４ｃ及びノズル開口部２ｊは、リム導水路２ｄを旋回する洗浄水Ｗ１の最高水位Ｌ１よりも高い位置に配置されているため、この旋回流がシャッター１４ｃとノズル開口部２ｊとの隙間からノズル収納部１４ａ内に侵入することもない。
【００２９】
つぎに、本発明の実施形態による水洗大便器の作用（動作）を説明する。
ここで、図９は、本実施形態による水洗大便器における局部洗浄時の局部洗浄装置の部分を拡大した図６と同様な部分拡大断面図である。
使用者の用便後、局部洗浄装置１２による局部洗浄が開始されると、まず、図６に示すように、シャッター１４ｃが閉鎖位置にある状態で、ノズル収納部１４ａ内でノズル部１２ａの先端部（噴射部）１２ｂ自体の自己洗浄が所定時間行われる。このとき、シャッター１４ｃの後端部１４ｆは、保持プレート１４のノズル収納部１４ａにおける開口部１４ｂの縁部に当接しており、シャッター１４ｃの前面１４ｈは、ボウル部２のリム部２ａの後端部における平坦面２ｆとほぼ面一になっている。
また、自己洗浄が行われた際の洗浄後の水は、ノズル収納部１４ａの前端部（開口部１４ｂ）の下端部の切欠き１４ｄを経てシャッター１４ｃとノズル開口部２ｊとの隙間からボウル部２内へ流下する。
【００３０】
このノズル部１２ａの先端部（噴射部）１２ｂの自己洗浄が終了すると、ノズル部１２ａの入れ子状に重ねて設けられた３つの円筒状部材が前方へ伸長する。
そして、ノズル部１２ａの先端部（噴射部）１２ｂがシャッター１４ｃの後端部１４ｆに接触して前方へ押し出し、シャッター１４ｃを回動部１４ｅを中心に前方へ回動させて、開口部１４ｂを開放すると共に、ノズル部１２ａの先端部（噴射部）１２ｂを前方のボウル部２内の空間に向かって推進して、ボウル部２内の空間の所定位置で停止する（図９参照）。
【００３１】
このボウル部２内の空間の所定位置で停止したノズル部１２ａは、サブタンク１２ｃ、ポンプ等を介して熱交換器（図示せず）から供給された温水Ｗ４をその先端部（噴射部）１２ｂから所定方向に噴射する（図９参照）。
所定時間の噴射後、ノズル部１２ａが後方へ引っ込み、その先端部（噴射部）１２ｂが開口部１４ｂよりも後退すると、ねじりばね１４ｇの付勢力によりシャッター１４ｃが開口部１４ｂを閉鎖する。
ノズル部１２ａがノズル収納部１４ａ内の元の位置に戻ると、シャッター１４ｃが閉鎖位置にある状態で、再びノズル部１２ａの先端部（噴射部）１２ｂ自体の自己洗浄が所定時間行われ、局部洗浄の全工程が終了となる。
【００３２】
上述した本発明の実施形態による水洗大便器１によれば、ボウル部２のリム部２ａの後端部がほぼ鉛直な平坦面２ｆを形成すると共に、この平坦面２ｆのノズル開口部２ｊ（保持プレートのノズル収納部１４ａの開口部１４ｂ）を閉鎖した状態のシャッター１４ｃの前面１４ｈが平坦面２ｆとほぼ面一になるため、ボウル部２を上方から見た場合、汚水等による汚れを目視しやすく、ボウル部２のリム部２ａを掃除する際にも簡単に汚れを拭き取ることができる。また、ボウル部２のリム部２ａの後端部がリム導水路２ｄを旋回する洗浄水Ｗ１の最高水位Ｌ１よりも高い領域でほぼ鉛直な平坦面２ｆを形成することにより、ボウル部２のリム部２ａの後端部における洗浄水が行き届かない領域の表面積を最小限に抑えることができ、無駄なスペースを排除することができる。
また、リム部２ａの後端部を平坦面２ｆにすることにより、シャッター１４ｃの形状をボウル部２の湾曲した部分の形状に合わせて湾曲させる等の設計を行う必要がなくなるため、シャッター１４ｃをリム部２ａの後端部に設けやすくなる。
【００３３】
また、本実施形態による水洗大便器１によれば、ボウル部２が第２の吐水部である第２吐水口２ｅを備えているため、ボウル部２のリム部２ａの後端部がほぼ鉛直な平坦面２ｆを形成しているにもかかわらず、水洗大便器１の洗浄性能を損なうことなく、ボウル部２内の所定領域を確実に洗浄することができる。より具体的には、リム部２ａの後端部のほぼ鉛直な平坦面２ｆは、オーバーハング形状をしているリム導水路２ｄに比べ洗浄水が旋回しにくい形状となっているが、第２吐水部２ｅを設けたことにより、この第２吐水部２ｅから吐水された洗浄水が、第１吐水口２ｃから吐水された洗浄水Ｗ１の旋回流と同一の旋回方向に且つリム部２ａの後端部よりも下方の所定領域に向かって流れるため、ボウル部２内の所定領域を確実に洗浄することができる。
【００３４】
さらに、本実施形態による水洗大便器１によれば、保持プレート１４のノズル収納部１４ａの開口部１４ｂにシャッター１４ｃが開閉可能に設けられているため、保持プレート１４をボウル部２のリム部２ａの後端部に組み込むことにより、シャッター１４ｃをボウル部２のリム部２ａのノズル開口部２ｊにも容易かつ確実に取り付けることができる。この結果、ノズル開口部２ｊを閉鎖した状態のシャッター１４ｃの前面１４ｈがリム部２ａの後端部の平坦面２ｆとほぼ面一になるように容易かつ確実に組み付けることできる。
【００３５】
また、本実施形態による水洗大便器１によれば、シャッター１４ｃがノズル開口部２ｊ（保持プレートのノズル収納部１４ａの開口部１４ｂ）を閉鎖すると、シャッター１４ｃの外周縁１４ｉがノズル開口部２ｊの凹部２ｋや段部２ｌ，２ｍに確実に嵌合して収納されるため、シャッター１４ｃの前面１４ｈとリム部２ａの後端部の平坦面２ｆとを確実に面一にすることができる。この結果、ノズル開口部２ｊから保持プレート１４のノズル収納部１４ａ側への汚水の浸入を防ぐことができる。
【００３６】
さらに、本実施形態による水洗大便器１によれば、ノズル開口部２ｊの段部２ｌ，２ｍのそれぞれが、その前端から後端にかけて相対的に窄まるようにほぼテーパー状に形成されているため、閉鎖している状態のシャッター１４ｃを外観から見た場合、製造誤差等によりノズル開口部２ｊに歪みが発生していても、その歪み等が目立たなくなり、意匠性を向上させることができる。また、ノズル開口部２ｊの段部２ｌ，２ｍがテーパー状に形成されているため、段部２ｌ，２ｍとシャッター１４ｃの距離が縮まり、シャッター１４ｃをノズル開口部２ｊにしっかり固定することができる。
【００３７】
また、本実施形態による水洗大便器１によれば、シャッター１４ｃがノズル開口部２ｊを閉鎖すると、ねじりばね１４ｇにより、シャッター１４ｃの外周縁１４ｉがノズル開口部２ｊの段部２ｌ，２ｍに確実に嵌合された状態が維持され、シャッター１４ｃの前面１４ｈとリム部２ａの後端部の平坦面２ｆとを確実に面一にすることができる。
【００３８】
さらに、本実施形態による水洗大便器１によれば、局部洗浄装置１２のノズル部１２ａについて、３つの円筒状部材を軸方向に伸長可能に入れ子状に重ねることにより、保持プレート１４のノズル収納部１４ａ内に設けることができるため、ノズル収納部１４ａの前後方向の長さを短くすることができる。この結果、ノズル収納部１４ａの前面に位置するシャッター１４ｃの位置をより後方に配置させることができるようになり、リム部２ａの平坦面２ｆとシャッター１４ｃの前面１４ｈとを面一にしやすくすることができる。
また、リム部２ａの平坦面２ｆの位置についても、より後方に配置させることができるため、リム部２ａの平坦面２ｆが前方に位置することによってボウル部２の開口が小さくなるといった不具合が発生しなくなる。
【符号の説明】
【００３９】
１    水洗大便器
１ａ  便器本体
１ｂ  便座ユニット
２    ボウル部
２ａ  リム部
２ｂ  汚物受け面
２ｃ  第１吐水口
２ｄ  リム導水路
２ｅ  第２吐水口
２ｆ  平坦面
２ｇ  第３吐水口
２ｈ  下側段部
２ｉ  凹部
２ｊ  ノズル開口部
２ｋ  凹部
２ｌ  前側段部
２ｍ  後側段部
４    導水路
６    排水トラップ管路
８    便座
１０    便蓋
１２    局部洗浄装置
１２ａ  ノズル部
１２ｂ  噴射部
１２ｃ  サブタンク
１４    保持プレート
１４ａ  ノズル収納部
１４ｂ  開口部
１４ｃ  シャッター
１４ｄ  切欠き
１４ｅ  回動部
１４ｆ  シャッターの後端部
１４ｇ  ねじりばね
１４ｈ  シャッターの前面
１４ｉ  シャッターの外周縁
【図１】
2010174451.tif 000003
【図２】
2010174451.tif 000004
【図３】
2010174451.tif 000005
【図４】
2010174451.tif 000006
【図５】
2010174451.tif 000007
【図６】
2010174451.tif 000008
【図７】
2010174451.tif 000009
【図８】
2010174451.tif 000010
【図９】
2010174451.tif 000011